(57)【特許請求の範囲】
【請求項１】
壁に貫通設置される円筒スリーブの室外側端部に取り付けられる外側グリルと、前記円筒スリーブの室内側端部に取り付けられる内側カバーとから成る給気装置であって、
前記内側カバーは、前記円筒スリーブ内に挿入される筒状部と、前記筒状部の室内側端面に固定される内側グリルと、前記内側グリルに進退可能且つ脱着可能に取り付けられるフロントキャップとから成り、前記筒状部内には、防塵フィルターが、室内側から交換可能に充填され、前記フロントキャップの前面板及び前記内側グリルの前面板は、上下方向又は左右方向に反った形状とされ、更に、前記内側カバーの筒状部の内端面に、前記防塵フィルターの抜止め並びに水切りのためのストッパーが形成されており、
前記フロントキャップの内面に、前記フロントキャップの厚みよりも少し厚めの発泡樹脂材が定着され、前記フロントキャップの内面に前記発泡樹脂材を通してＹ字形溝を有する係止部材が形成され、前記係止部材が前記内側グリルの開口部の両側に形成される格子部に係止されることにより、前記フロントキャップが前記内側グリルに取り付けられることを特徴とする給気装置。
【請求項２】
前記防塵フィルターは、前記筒状部の奥側約半分を満たす幅に充填される請求項１に記載の給気装置。
【請求項３】
前記外側グリルは、その開口部を遮蔽するように複数段の羽板を備え、最上段と最下段の前記羽板は他の羽板よりも左右方向に短くされ、また、前記外側グリルのグリル板の下部に、前記羽板と同様にして前方に突出する滴ガイドが形成された請求項１又は２に記載の給気装置。
【発明の詳細な説明】
【技術分野】
【０００１】
本発明は給気装置、より詳細には、外気を室内に導入するために外壁を貫いて設置される給気装置に関するものである。
【背景技術】
【０００２】
高気密、高断熱化が進む昨今の住宅においては、室内汚染空気の排出のために、所謂２４時間換気システムが採用されることが多くなってきている。このシステムにおいては、排気ファンの作用で、室内の汚染空気が排出されるに伴い、外気が緩やかに導入されることになるが、この外気導入のために、外壁に設けた貫通孔に給気装置が設置される。
【０００３】
給気装置は一般に、壁面の貫通孔に嵌入される、通例塩化ビニール製の円筒スリーブと、円筒スリーブの外端部に取り付けられて外気に接する外側グリルと、円筒スリーブの内端部に取り付けられて室内に露出する内側カバーとから成る。
【０００４】
この給気装置は、室内の温度環境を乱すことなく、自然の流れにて外気を室内に導入することが要請される。即ち、外気の導入をスムーズに行うことができ、外気を極力室温を乱すことなく導入可能で、且つ、花粉、煤塵等を取り込んで室内空気を汚染するようなことがないことが要請されるが、従来これらの要請を十分に満たす給気装置は提示されていない。
【０００５】
【特許文献１】特開２０００−２２６８９２号公報
【発明の開示】
【発明が解決しようとする課題】
【０００６】
本発明は上記要請に応えるためになされたもので、構成簡易で設置も容易であり、外気を自然且つスムーズに導入することができ、外気導入によって室温を乱したり、室内空気を汚染したりするおそれがなく、また、設置部周辺の壁を汚すこともない給気装置を提供することを課題とする。
【課題を解決するための手段】
【０００７】
上記課題を解決するための請求項１に記載の発明は、壁に貫通設置される円筒スリーブの室外側端部に取り付けられる外側グリルと、前記円筒スリーブの室内側端部に取り付けられる内側カバーとから成る給気装置であって、前記内側カバーは、前記円筒スリーブ内に挿入される筒状部と、前記筒状部の室内側端面に固定される内側グリルと、前記内側グリルに進退可能且つ脱着可能に取り付けられるフロントキャップとから成り、前記筒状部内には、防塵フィルターが、室内側から交換可能に充填され、前記フロントキャップの前面板及び前記内側グリルの前面板は、上下方向又は左右方向に反った形状とされ、更に、前記内側カバーの筒状部の内端面に、前記防塵フィルターの抜止め並びに水切りのためのストッパーが形成されており、前記フロントキャップの内面に、前記フロントキャップの厚みよりも少し厚めの発泡樹脂材が定着され、前記フロントキャップの内面に前記発泡樹脂材を通してＹ字形溝を有する係止部材が形成され、前記係止部材が前記内側グリルの開口部の両側に形成される格子部に係止されることにより、前記フロントキャップが前記内側グリルに取り付けられることを特徴とする給気装置である。
【０００８】
好ましくは、前記防塵フィルターは、前記筒状部の奥側約半分を満たす幅に充填される。
【０００９】
また、前記外側グリルは、その開口部を遮蔽するように複数段の羽板を備え、最上段と最下段の前記羽板は他の羽板よりも左右方向に短くされることがある。
【００１０】
更に、前記外側グリルのグリル板の下部に、前記羽板と同様にして前方に突出する滴ガイドが形成される。
【発明の効果】
【００１１】
本発明に係る給気装置は上記構成であるため、構成簡易で設置も容易であり、外気を自然且つスムーズに、また、室温を乱したり、室内空気を汚染したりすることなく導入することができ、反った前面板によって導入された外気が壁から離れる方向に流されるため、設置部周辺の壁を汚さないといった効果があり、更に、防塵フィルターの抜止めと共に、円筒スリーブ内に入り込んできた雨止が遮止されて室内側に流れ込むことが防止される効果がある。
【００１２】
特に請求項２に記載の発明においては、防塵フィルターによって確実な防塵がなされると共に、冷気が緩和され、内側グリルとフロントキャップの表面結露が防止され且つ冷気が室内に導入されることが防止される効果がある。
【００１３】
また、請求項４に記載の発明においては、グリル板を流れ落ちる雨水が壁から離れて落ち、壁に伝わらないという効果がある。
【発明を実施するための最良の形態】
【００１４】
本発明を実施するための好ましい形態について、図面を参照しつつ説明する。本発明に係る給気装置は、壁に貫通設置される円筒スリーブ３０と、円筒スリーブ３０の室外側端部に取り付けられる外側グリル１８と、円筒スリーブ３０の室内側端部に取り付けられる内側カバー１とから成る（図１０参照）。円筒スリーブ３０は、従来のものと変わりはなく、通例、塩化ビニール製のパイプで、従来のものと同様にして、壁に設けた貫通孔に嵌装される。
【００１５】
図１乃至図５は、内側カバー１の構成を示すもので、内側カバー１は、円筒スリーブ３０内に挿入される筒状部２と、筒状部２の室内側端面に固定される内側グリル３と、内側グリル３に対して進退可能且つ脱着自在に取り付けられるフロントキャップ４とから成る。
【００１６】
フロントキャップ４及び内側グリル３の前面板５、６は、それぞれ上下方向又は左右方向に若干反る（内に凹む）ように形成される。このような形状とするのは、後述するように、流入してくる外気を壁から離れるように整流するためである。
【００１７】
フロントキャップ４の内面には、一対の係止部材８、８が突設され、係止部材８、８には、先端部に向かって拡開するＹ字形溝９、９が形成される（図４参照）。そして、フロントキャップ４の内面全体に、ポリエチレン、ウレタン等の発泡樹脂材７が張設され、係止部材８、８は、発泡樹脂材７を通して突出させる。発泡樹脂材７は、フロントキャップ４よりも少し厚手にし、フロントキャップ４からはみ出るようにする。そのようにすることにより、フロントキャップ４を閉じた際の、内側グリル３との間の密閉性が良好となる。
【００１８】
内側グリル３は、上述したようにその前面板６が反っていて、前面板６の裏側に、外枠１１と内枠１２とが二重にして形成され、内枠１２の内側が開口される。そして、その開口部の両側に格子部１０、１０が形成される。格子部１０、１０は、例えば、縦格子２本に、補強用の横格子１０ａ、１０ａを、中央及びその上下数個所に設けたものとする。設置時に壁に当たることになる外枠１１と内枠１２の端面は、壁に密着するように平坦にされる。
【００１９】
フロントキャップ４は、その係止部材８、８のＹ字形溝９、９に、格子部１０、１０の横格子１０ａ、１０ａを摺動可能に導き入れることにより、格子部１０、１０に支持される（図５参照）。フロントキャップ４は、横格子１０ａ、１０ａがＹ字形溝９、９の最奥部に当たるまで押し込んだ際に内側グリル３の前面板６に当接し、その状態で内側グリル３の開口部を完全に閉塞する。発泡樹脂材７がある場合は、その閉塞性はより完全なものとなる。その状態からフロントキャップ４を、横格子１０ａ、１０ａをＹ字形溝９、９から抜くことなく引出していくと、次第に内側グリル３の開口部が開放されて、通気量が増すことになる。
【００２０】
筒状部２はほぼ円筒形で、その奥側に、奥行きの２分の１程度を満たすように、不織布等の十分に通気性を有する防塵フィルター１４が装填される。この防塵フィルター１４の抜け防止のため、筒状部２の奥端には、適宜内径を絞ったストッパー１５が形成される（図２参照）。ストッパー１５の形状は任意であるが、好ましくは、上下に半円形状に形成する。このストッパー１５は更に、外側グリル１８から円筒スリーブ３０内に雨水が入り込んだ場合の水切り（水返し）の役目も果たす。
【００２１】
防塵フィルター１４は、フロントキャップ４を内側グリル３から引き抜いて外して、内側グリル３の開口部を完全に開放した後、そこに手を差し入れて出し入れすることが可能で、取り出して清掃ないし交換することができる。
【００２２】
筒状部２の前面側端部にはフランジ１６が形成され、このフランジ１６が内枠１２内に押し嵌められることにより、筒状部２が内側グリル３に固定される。
【００２３】
図６乃至図９は、外側グリル１８の構成を示すもので、外側グリル１８は、円筒スリーブ３０に装入される円筒体１９と、これに固定されるグリル板２０とから成る。グリル板２０の裏面には、外枠２１と内枠２２とが形成され（図８参照）、その内枠２２に、円筒体１９の外方端部に形成されるフランジ２３を押し嵌めることにより、円筒体１９はグリル板２０に固定される。
【００２４】
グリル板２０は、その内枠２２の内側部分が開口されるが、その開口は、円筒体１９に対応させるように四隅を残したものとされるが、その開口に合わせるように、最上段と最下段の羽板２４は、他のものより左右方向に短くされる。
【００２５】
また、グリル板２０の最下端より少し上の部分に、下り傾斜して手前に突出する滴ガイド２５が設置される。この滴ガイド２５は、グリル板２０を垂れ流れてきた雨水が、その傾斜に沿って壁から離れて流れ落ちるように作用し、以て雨水が壁伝いに流れて流路痕跡を残さないようにする役目を果たす。なお、滴ガイド２５は、水滴の回り込みを防止するために底面を欠いたものとし（図９参照）、必要に応じて中間部に、補強リブを設ける。
【００２６】
本発明に係る給気装置は、従来のものと同様に、壁に設けた貫通孔に円筒スリーブ３０を嵌装し、円筒スリーブ３０の室外側端部に外側グリル１８の円筒体１９を、グリル板２０が壁に当たるまで嵌入して、外側グリル１８を取り付ける。外側グリル１８は、グリル板２０の四隅に設けたビス穴を介して壁にビス止めされる。
【００２７】
また、円筒スリーブ３０の室内側端部に、内側グリル３に固定した筒状部２を、内側グリル３が壁に当たるまで嵌め込み、次いで、フロントキャップ４を、その係止部材８、８のＹ字形溝９、９内に、内側グリル３の格子部１０、１０の横桟１０ａ、１０ａを係入することにより、内側グリル３に取り付ける。勿論、筒状部２、内側グリル３及びフロントキャップ４を予め一体化してから、筒状部２を円筒スリーブ３０に嵌め付けることとしてもよい。内側カバー１は、内側グリル３とフランジ１６の四隅に設けたビス穴を介し、壁にビス止めされる。
【００２８】
このようにして設置した後、フロントキャップ４を、係止部材８、８のＹ字形溝９、９内に横桟１０ａ、１０ａを挟持した状態で適量引き出すことにより、内側グリル３の開口度合、即ち、通気量を調整する。
【００２９】
この給気装置においては、外側グリル１８から流入した外気は、防塵フィルター１４を通過することにより、含有する花粉、煤塵等を除去されて清浄化される。また、防塵フィルター１４は筒状部２の約半分を占めるため、導入外気は、そこを通過するに伴って冷気が緩和され、以て、室内に冷気が導入されることが防止される。また、この冷気緩和により、内側グリル３とフロントキャップ４が外気により冷やされて表面結露を起こすことが防止される。
【００３０】
防塵フィルター１４を経た外気は、内側グリル３の開口から室内に流れ込むが、その際、内側グリル３とフロントキャップ４の反った前面板５、６に導かれて、壁から離れる方向に流れる。そのため、設置部周囲の壁は汚れにくくなる。
【００３１】
また、フロントキャップ４と内側グリル３の前面板５、６が上下方向に反った形状であって、外気がその反った形状に沿って流されることで、上記防塵フィルター１４による冷気緩和作用と相俟って、冷たい空気が足元に落ちてくる現象（コールドドラフト現象）を極力防止することができる効果もある。
【００３２】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００３３】
【図１】本発明に係る給気装置における内側カバーの表側の構成を示す図である。
【図２】本発明に係る給気装置における内側カバーの裏側の構成を示す図である。
【図３】本発明に係る給気装置における内側カバーの縦断面図である。
【図４】本発明に係る給気装置における内側カバーにおけるフロントキャップの構成を示す図である。
【図５】本発明に係る給気装置における内側グリルの裏面の構成を示す図である。
【図６】本発明に係る給気装置における外側グリルの構成を示す図である。
【図７】本発明に係る給気装置における外側グリルの縦断面図である。
【図８】本発明に係る給気装置における外側グリルのグリル板の裏面の構成を示す図である。
【図９】本発明に係る給気装置における外側グリルの滴ガイドを示す図である。
【図１０】本発明に係る給気装置の設置状態図である。
【符号の説明】
【００３４】
１        内側カバー
２        筒状部
３        内側グリル
４        フロントキャップ
５、６    前面板
７        発泡樹脂板
８        係止部材
９        Ｙ字形溝
１０        格子部
１０ａ      横格子
１１        外枠
１２        内枠
１４        防塵フィルター
１５        ストッパー
１６        フランジ
１８        外側グリル
１９        円筒体
２０        グリル板
２１        外枠
２２        内枠
２３        フランジ
２４        羽板
２５        滴ガイド
３０        円筒スリーブ
【図１】
0004646784.tif 000002
【図２】
0004646784.tif 000003
【図３】
0004646784.tif 000004
【図４】
0004646784.tif 000005
【図５】
0004646784.tif 000006
【図６】
0004646784.tif 000007
【図７】
0004646784.tif 000008
【図８】
0004646784.tif 000009
【図９】
0004646784.tif 000010
【図１０】
0004646784.tif 000011